(57)【特許請求の範囲】
【請求項１】
側溝ブロックの歩道側で縁石ブロックの下底角部を嵌着するために上端角部を略Ｌ字状に切欠して縁石ブロック嵌着用切欠部を形成し、該切欠部に縁石ブロックの側溝側の下底角部を嵌着して前記側溝ブロックに前記縁石ブロックを連結した側溝ブロックと縁石ブロックの接合構築構造において、
前記縁石ブロック嵌着用切欠部の外側縁部に前記側溝ブロックの外側面に沿って凸条部を突設することにより前記縁石ブロック嵌着用切欠部の切欠底面外側縁部に凹凸状面を形成し、
コンクリート二次製品である前記縁石ブロックの前記下底角部を形成する下底面に前記側溝ブロックの切欠底面外側縁部の前記凹凸状面に嵌着する凹条部を形成することにより前記縁石ブロックの前記下底面に凹凸状面を形成し、
前記縁石ブロックを前記側溝ブロックの前記縁石ブロック嵌着用切欠部に載置固定するに際し、各ブロックの前記凹凸状面が嵌着するように構成すると共に、
前記縁石ブロック嵌着用切欠部の切欠内側面は、前記縁石ブロックの傾斜状の側溝側の壁面と密着状に嵌着するように前記縁石ブロック側に傾斜させた傾斜面に形成したことを特徴とする側溝ブロックと縁石ブロックの接合構築構造。
【請求項２】
前記縁石ブロックには、前記縁石ブロックの前記凹条部と対向する歩道側の下底角部に前記縁石ブロックの下底面を延伸して突出部を形成すると共に前記突出部の上面には凸条部を形成したことを特徴とする請求項１に記載の側溝ブロックと縁石ブロックの接合構築構造。
【発明の詳細な説明】
【技術分野】
【０００１】
本発明は、側溝ブロックに縁石ブロックを嵌着して接合連結する構造において、側溝ブロックと縁石ブロックとの間の雑草の生長を阻止する側溝ブロックと縁石ブロックの接合構築構造に関する。
【背景技術】
【０００２】
従来、例えば、車道と歩道との間の境界部分には、コンクリート二次製品の縁石ブロックと側溝ブロックとが並設されている（特許文献１参照）。縁石ブロックは、歩道の側縁に仕切り突状に配設し歩道より一段高く構成されており、側溝ブロックは、車道の側縁の土壌中に埋設して縁石と左右隣接して設けられ車道に沿った側溝を構成している。
【０００３】
そして、縁石ブロックの歩道側においては、縁石ブロックに隣接するように基礎砕石上にアスファルト等が打設された舗装面が形成されて歩道を構成し、一方、縁石ブロックの車道側においては、側溝ブロックに面一で隣接するように、基礎砕石上にアスファルト等が打設された舗装面が形成されて車道が構成される。
【０００４】
このような歩車道境界構造においては、互いに隣接する縁石ブロックと側溝ブロック間の境界の隙間、あるいは縁石ブロックや側溝ブロックと歩道または車道との間の境界の隙間から、雑草が生え出すという問題がある。すなわち、ブロック間の境界あるいはブロックと舗装面との間の境界においては、その境界の隙間に入った雑草の種子が発芽し、その種子の根が基礎砕石下の土壌に到達して繁殖して雑草が生長する。
【０００５】
雑草がこのような境界部分に植生すると、景観を損ねることは勿論、見通しを妨害して交通事故の原因となり、また雑草が根張りして舗装面を下層から持ち上げて亀裂や変形を生起する。
【０００６】
このような問題を解決する技術が、例えば特許文献１に記載されている。本技術によれば、車道側の舗装面と側溝ブロックとの境界に位置する側溝ブロックの上端角部に凹凸部を備えた切欠部を形成することで、該境界の隙間に入り発芽した雑草の根が土壌に到達することなく生長を阻止することで防草効果を発揮する。
【先行技術文献】
【特許文献】
【０００７】
【特許文献１】特開２０１４−１１８７６９号公報
【発明の概要】
【発明が解決しようとする課題】
【０００８】
確かに特許文献１に記載の技術によれば、車道側の舗装面と側溝ブロックとの境界における防草効果は大きい。しかしながら、縁石ブロックと側溝ブロックとの間の境界における隙間については、歩道側の側溝ブロックの上端角部に縁石ブロックの基角部が嵌着するためのＬ字状の切欠部が形成されているにすぎず、該境界の隙間に入って発芽した雑草の根は、基部とＬ字状の切欠部との間を通って容易に土壌に到達し、雑草の生長を阻止することができないという問題を有していた。
【０００９】
この発明は、縁石ブロックと側溝ブロックとの間の境界部分において、雑草の生長を防止することのできる側溝ブロックと縁石ブロックの接合構築構造を提供することにある。
【課題を解決するための手段】
【００１０】
以上のような目的を達成するために、本発明は以下の技術を提供する。
【００１１】
請求項１に係る発明では、側溝ブロックの歩道側で縁石ブロックの下底角部を嵌着するために上端角部を略Ｌ字状に切欠して縁石ブロック嵌着用切欠部を形成し、該切欠部に縁石ブロックの側溝側の下底角部を嵌着して前記側溝ブロックに前記縁石ブロックを連結した側溝ブロックと縁石ブロックの接合構築構造において、前記縁石ブロック嵌着用切欠部の外側縁部に前記側溝ブロックの外側面に沿って凸条部を突設することにより前記縁石ブロック嵌着用切欠部の切欠底面外側縁部に凹凸状面を形成し、コンクリート二次製品である前記縁石ブロックの前記下底角部を形成する下底面に前記側溝ブロックの切欠底面外側縁部の前記凹凸状面に嵌着する凹条部を形成することにより前記縁石ブロックの前記下底面に凹凸状面を形成し、前記縁石ブロックを前記側溝ブロックの前記縁石ブロック嵌着用切欠部に載置固定するに際し、各ブロックの前記凹凸状面が嵌着するように構成すると共に、前記縁石ブロック嵌着用切欠部の切欠内側面は、前記縁石ブロックの傾斜状の側溝側の壁面と密着状に嵌着するように前記縁石ブロック側に傾斜させた傾斜面に形成したことを特徴とする側溝ブロックと縁石ブロックの接合構築構造を提供せんとする。
【００１２】
請求項２に係る発明では、前記縁石ブロックには、前記縁石ブロックの前記凹条部と対向する歩道側の下底角部に前記縁石ブロックの下底面を延伸して突出部を形成すると共に前記突出部の上面には凸条部を形成したことを特徴とする請求項１に記載の側溝ブロックと縁石ブロックの接合構築構造を提供せんとする。
【発明の効果】
【００１５】
請求項１に記載の発明によれば、側溝ブロックの歩道側で縁石ブロックの下底角部を嵌着するために上端角部を略Ｌ字状に切欠して縁石ブロック嵌着用切欠部を形成し、該切欠部に縁石ブロックの側溝側の下底角部を嵌着して側溝ブロックに縁石ブロックを連結した側溝ブロックと縁石ブロックの接合構築構造において、縁石ブロック嵌着用切欠部の外側縁部に側溝ブロックの外側面に沿って凸条部を突設することにより縁石ブロック嵌着用切欠部の切欠底面外側縁部に凹凸状面を形成し、コンクリート二次製品である縁石ブロックの下底角部を形成する下底面に側溝ブロックの切欠底面外側縁部の凹凸状面に嵌着する凹条部を形成することにより縁石ブロックの下底面に凹凸状面を形成し、縁石ブロックを側溝ブロックの縁石ブロック嵌着用切欠部に載置固定するに際し、各ブロックの凹凸状面が嵌着するように構成すると共に、縁石ブロック嵌着用切欠部の切欠内側面は、縁石ブロックの傾斜状の側溝側の壁面と密着状に嵌着するように縁石ブロック側に傾斜させた傾斜面に形成したことを特徴とする側溝ブロックと縁石ブロックの接合構築構造としたので、縁石ブロックと側溝ブロックとの接合部分、すなわち、側溝ブロックにおける縁石ブロック嵌着用切欠部の凸条部と縁石ブロックにおける下底角部の下底面の凹条部とが嵌着することになり、各ブロックの接合部分が凹凸条部によって迂回した長手接合面を形成することになると共に、雑草根の生長習性として下方や水平方に生長するものの上方生長は阻害される習性によって雑草根の生長が上方迂回生長を阻害されこの凹凸条部において生長が停止する。従って、雑草根が接合部分から歩道土壌層内に生長することを回避することができる効果がある。また、縁石ブロックと側溝ブロックとの接合部分における縦側面部分が傾斜状となり、接合端緒口より侵入し、生長する雑草根は傾斜面によって生長促進が阻害される。
【００１６】
請求項２に記載の発明によれば、縁石ブロックには、縁石ブロックの凹条部と対向する歩道側の下底角部に縁石ブロックの下底面を延伸して突出部を形成すると共に突出部の上面には凸条部を形成したことを特徴としたので、突出部の上面の凸条部によって雑草根が歩道側の壁面と歩道舗装面との接合面から生長して歩道土壌内に生長することを回避することができる。
【図面の簡単な説明】
【００１８】
【図１】本発明のブロックの接合構築構造の斜視断面説明図
【図２】断面説明図
【図３】側溝ブロックの斜視図
【図４】側溝ブロックの正面図
【図５】縁石ブロックの斜視図
【図６】縁石ブロックの正面図
【図７】本発明の他の実施形態に係るブロックの接合構築構造の斜視断面説明図
【図８】断面説明図
【図９】側溝ブロックの斜視図
【図１０】側溝ブロックの正面図
【発明を実施するための形態】
【００１９】
この発明は、側溝ブロックの歩道側の上端角部を略Ｌ字状に切欠して縁石ブロック嵌着用切欠部を形成し、該切欠部に縁石ブロックの側溝側の下底角部を嵌着して前記側溝ブロックに前記縁石ブロックを連結した側溝ブロックと縁石ブロックの接合構築構造において、前記縁石ブロック嵌着用切欠部の外側縁部に凸条部を形成すると共に、前記縁石ブロックの前記下底角部を形成する下底面に凹条部を形成し、各前記凹凸条部が嵌着するように構成したことを特徴とする側溝ブロックと縁石ブロックの接合構築構造としたことに特徴を有する。
【００２０】
また、前記凸条部は、前記縁石ブロック嵌着用切欠部の切欠底面外側縁部に形成したことを特徴とする側溝ブロックと縁石ブロックの接合構築構造に関する。
【００２１】
また、前記縁石ブロック嵌着用切欠部は、切欠内側面を前記縁石ブロックの傾斜状の側溝側の壁面と密着可能な傾斜面に形成したことを特徴とする側溝ブロックと縁石ブロックの接合構築構造に関する。
【００２２】
また、前記側溝ブロックの車道側の上端角部を切欠して車道側切欠部を形成し、前記車道側切欠部の切欠底面外側縁部に凸条部を形成し、前記車道側切欠部に車道用の舗装面を連結したことを特徴とする側溝ブロックと縁石ブロックの接合構築構造に関する。
【００２３】
以下、この発明の実施形態を図面に基づき詳説するが、左右同一又は左右対称等の構造や部品については、原則として同一の符号を付し、左右何れか一方のみを説明して、他方については説明を適宜省略する。
【００２４】
図１は本発明のブロック２，３の接合構築構造１の斜視断面説明図を示し、図２は断面説明図で、図３は側溝ブロック２の斜視図で、図４は側溝ブロック２の正面図で、図５は縁石ブロック３の斜視図で、図６は縁石ブロック３の正面図である。
【００２５】
本実施形態に係る側溝ブロック２と縁石ブロック３の接合構築構造１としては、道路の歩道Ｈと車道Ｓとが仕切られており、その仕切りは歩道Ｈの外側縁に沿って配設した縁石ブロック３と隣接する側溝ブロック２とより形成されている。
【００２６】
図１、図２、図５、図６に示すように、縁石ブロック３は、通常のコンクリート二次製品の縁石ブロックと略同形であり、所定長さで断面略方形状に形成されており、歩行者を車道Ｓから区画して自動車が歩道Ｈに突進しないような進入阻止隆起体としている。
【００２７】
縁石ブロック３の下底角部４を形成する下底面５には、台形状の空間をなす凹条部６を形成しており、後述する側溝ブロック２の凸条部２０と嵌着するように構成されている。
【００２８】
また、本実施形態に係る縁石ブロック３は、図５、図６に示すように凹条部６と対向する歩道Ｈ側の下底角部８において、下底面５が歩道Ｈ側に延伸している。具体的には、縁石ブロック３の歩道Ｈ側の壁面９の下部を長手方向に渡って歩道Ｈ側にせり出した矩形状の突出部１０を形成している。
【００２９】
突出部１０の上面１１中央部には、長手方向に沿って台形状の凸条部１２を形成している。
【００３０】
側溝ブロック２は、縁石ブロック３に対して車道Ｓ側に隣接するように設けられ、車道Ｓに沿って設けられる側溝を構成する。側溝ブロック２は、コンクリート二次製品、つまりコンクリートを材料に一体成形されたブロック製品である。
【００３１】
図１〜図４に示すように、側溝ブロック２は暗渠型であり、全体として筒軸方向を長手方向とし両端側が開口した略筒状ないしは略四角柱状の形状を有する。側溝ブロック２は、略筒状ないしは略四角柱状の外形を有するコンクリート構造体をブロック本体２ａとし、そのブロック本体２ａの長手方向に沿って形成されブロック本体２ａを貫通する空洞２２を有する。
【００３２】
また、側溝ブロック２は土壌Ｄの上に基礎砕石Ｋ１を敷設し、基礎砕石Ｋ１上に載置している。ブロック上面２３には車道Ｓ側から歩道Ｈ側、歩道Ｈ側から車道Ｓ側にかけて下方へ緩やかに傾斜し、２つの傾斜は空洞２２の上方で歩道Ｈ側寄りに交差部２４を形成し、交差部２４には長手方向に沿って空洞２２に貫通する複数の楕円状開口の排水孔２５を形成している。
【００３３】
車道Ｓ側には、車道Ｓの外側縁に沿って側溝ブロック２が土壌Ｄ中に埋設されており、従って側溝ブロック２は、縁石ブロック３と上端角部２６で一部重複して隣接埋設されている。
【００３４】
側溝ブロック２の縁石ブロック３側の上端角部２６はブロック長手に沿って略Ｌ字状に切欠されて、縁石ブロック嵌着用切欠部２７を形成している。
【００３５】
しかも、略Ｌ字状の縁石ブロック嵌着用切欠部２７には、縁石ブロック３の下底角部４が嵌着接合して、縁石ブロック３と側溝ブロック２とは、上端角部２６で重複して連結されている。
【００３６】
更には、縁石ブロック嵌着用切欠部２７の外側縁部に台形状の凸条部２０を形成しており、縁石ブロック３の下底角部４の下底面５に形成した凹条部６と嵌着可能に構成している。
【００３７】
なお、凸条部２０は正確には縁石ブロック嵌着用切欠部２７の切欠底面外側縁部２８に形成している。
【００３８】
このように構成することで、縁石ブロック３と側溝ブロック２との接合部分、すなわち、側溝ブロック２における縁石ブロック嵌着用切欠部２７の凸条部２０と縁石ブロック３における下底角部４の下底面５の凹条部６とが嵌着することになり、各ブロック２，３の接合部分が凹凸条部６，２０によって迂回した長手接合面を形成することになると共に、雑草根の生長習性として下方や水平方に生長するものの上方生長は阻害される習性によって雑草根の生長が上方迂回生長を阻害されこの凹凸条部６，２０において生長が停止する。従って、雑草根が接合部分から歩道土壌Ｄ内に生長することを回避することができる。
【００３９】
更に、各ブロック２,３に形成した凹凸条部６,２０の嵌着接合により、各ブロックの左右振動や搖動が防止され各ブロック２,３の連結は更に強固となる。
【００４０】
また、縁石ブロック嵌着用切欠部２７の切欠内側面２９は縁石ブロック３の車道Ｓ側（側溝側）の壁面である傾斜外壁面７と嵌着接合するようにオーバーハング状の傾斜面３０を形成しており、各ブロック２,３を接合状態に連結する場合に縁石ブロック３の下底角部４と側溝ブロック２の上端角部２６における縁石ブロック嵌着用切欠部２７とを密着状に嵌着することができ、雑草の種子が側溝ブロック２と縁石ブロック３との隙間ｘに侵入することを防止し、種子の根が生長して歩道土壌Ｄ内に生長することを可及的に阻害することができる。
【００４１】
また、埋設した側溝ブロック２の車道Ｓ側の上端角部３１も歩道Ｈ側と同様に略Ｌ字状に切欠して車道側切欠部である車道舗装連結用切欠部３２を形成しており、該切欠部３２の切欠底面外側縁部３５に凸条部３３を形成しており、車道舗装連結用切欠部３２から車道Ｓにわたってアスファルトの車道舗装面Ｓ１を形成している。
【００４２】
すなわち、アスファルトの車道舗装面Ｓ１は側溝ブロック２の上端角部３１にまで延設されることになる。
【００４３】
なお、車道舗装連結用切欠部３２の切欠内側面３４は鉛直方向から若干だけ歩道Ｈ側に傾斜している。
【００４４】
また、車道舗装連結用切欠部３２は縁石ブロック嵌着用切欠部２７よりも上方に形成され、しかも、縁石ブロック嵌着用切欠部２７に形成された凸条部２０の上端は、車道舗装連結用切欠部３２の切欠底面外側縁部３５よりも下方となるように形成している。
【００４５】
このような車道舗装連結用切欠部３２の凸条部３３によって雑草根が該切欠部３２と車道舗装面Ｓ１との接合面ｙから生長して車道土壌Ｄ内に生長することを回避することができる。
【００４６】
しかも土壌Ｄ中に埋設した側溝ブロック２の両端角部２６，３１は略Ｌ字状に切欠され、この切欠された縁石ブロック嵌着用切欠部２７と車道舗装連結用切欠部３２に、それぞれ縁石ブロック３の下底角部４と車道舗装面Ｓ１とが重複して配設されることになるため、側溝ブロック２は重複した分だけ歩道Ｈに近づけて位置することができ、その分車道Ｓ側を広くとることができる。
【００４７】
更には、側溝ブロック２に重複した車道舗装面Ｓ１はその重複する分だけ車道Ｓを広く形成することができる。
【００４８】
このように本発明では側溝ブロック２を中心とした全体的な組み合わせにより車道Ｓを広く形成することができる。
【００４９】
また、縁石ブロック３の突出部１０に形成された凸条部１２の上方で、歩道Ｈ側の壁面９の中途部から歩道Ｈにわたってアスファルトの歩道舗装面Ｈ１を形成している。
【００５０】
すなわち、アスファルトの歩道舗装面Ｈ１は車道舗装面Ｓ１よりも上方に敷設されることになる。
【００５１】
このような突出部１０の上面１１の凸条部１２によって雑草根が歩道Ｈ側の壁面９と歩道舗装面Ｈ１との接合面ｚから生長して歩道土壌Ｄ内に生長することを回避することができる。
【００５２】
なお、図中、Ｇは車道舗装面Ｓ１において、路肩部の位置に明示した車道外側白線を示し、Ｋ２は車道舗装面Ｓ１であるアスファルト面の下方に敷設した基礎砕石を示す。本発明によると車道Ｓを従来車道に比して可及的に側溝ブロック２側に拡幅することが可能となることから、該白線Ｇも判別しやすい車道舗装面Ｓ１に明示することができる。
【００５３】
また、図中、Ｋ３は歩道舗装面Ｈ１であるアスファルト面の下方に敷設した基礎砕石を示す。
【００５４】
また、本実施形態に係る側溝ブロック２は上述した略筒状のブロックに限定されるものではなく、例えば、以下に説明する他の実施形態として逆Ｕ字型あるいは門型の形状を有する暗渠型であってもよく、発明の要旨の範囲内において種々の形状を採用することができる。
【００５５】
図７は本発明の他の実施形態に係るブロック３，１０２の接合構築構造１０１の斜視断面説明図を示し、図８は断面説明図で、図９は側溝ブロック１０２の斜視図で、図１０は側溝ブロック１０２の正面図である。
【００５６】
なお、図７、図８で示す縁石ブロック３については、上述した実施形態に係る縁石ブロック３と同様のため説明を省略する。
【００５７】
図７〜図１０に示すように、側溝ブロック１０２は、上記のとおり逆Ｕ字型あるいは門型の形状を有する暗渠型であり、全体として略四角筒状の形状において長手方向の両端側および一側面側（下面側）が開放された形状を有する。側溝ブロック１０２は、略四角筒状の形状において長手方向の両端側および一側面側が開放された形状を有するコンクリート構造体をブロック本体１０２ａとし、そのブロック本体１０２ａの長手方向に沿って形成された溝部１２２を有する。
【００５８】
また、側溝ブロック１０２は土壌Ｄの上に基礎コンクリートＱを打設し、基礎コンクリートＱ上で一体となるように設置している。ブロック上面１２３には矩形状の開口部１２４を形成し、開口部１２４には、開口部１２４を閉蓋し溝部１２２に貫通する楕円状開口の排水孔１２５を有する側溝蓋１３６を備えている。
【００５９】
車道Ｓ側には、車道Ｓの外側縁に沿って側溝ブロック１０２が土壌Ｄ中に埋設されており、従って側溝ブロック１０２は、縁石ブロック３と上端角部１２６で一部重複して隣接埋設されている。
【００６０】
側溝ブロック１０２の縁石ブロック３側の上端角部１２６はブロック長手に沿って略Ｌ字状に切欠されて、縁石ブロック嵌着用切欠部１２７を形成している。
【００６１】
しかも、略Ｌ字状の縁石ブロック嵌着用切欠部１２７には、縁石ブロック３の下底角部４が嵌着接合して、縁石ブロック３と側溝ブロック１０２とは、上端角部１２６で重複して連結されている。
【００６２】
更には、縁石ブロック嵌着用切欠部１２７の外側縁部に凸条部１２０を形成しており、縁石ブロック３の下底角部４の下底面５に形成した凹条部６と嵌着可能に構成している。
【００６３】
なお、凸条部１２０は正確には縁石ブロック嵌着用切欠部１２７の切欠底面外側縁部１２８に形成している
【００６４】
このように構成することで、縁石ブロック３と側溝ブロック１０２との接合部分、すなわち、側溝ブロック１０２における縁石ブロック嵌着用切欠部１２７の凸条部１２０と縁石ブロック３における下底角部４の下底面５の凹条部６とが嵌着することになり、各ブロック２，３の接合部分が凹凸条部６，１２０によって迂回した長手接合面を形成することになると共に、雑草根の生長習性として下方や水平方に生長するものの上方生長は阻害される習性によって雑草根の生長が上方迂回生長を阻害されこの凹凸条部６，１２０において生長が停止する。従って、雑草根が接合部分から歩道土壌Ｄ内に生長することを回避することができる。
【００６５】
また、縁石ブロック嵌着用切欠部１２７の切欠内側面１２９は縁石ブロック３の車道Ｓ側（側溝側）の壁面である傾斜外壁面７と嵌着接合するようにオーバーハング状の傾斜面１３０を形成しており、各ブロック３,１０２を接合状態に連結する場合に縁石ブロック３の下底角部４と側溝ブロック１０２の上端角部１２６における縁石ブロック嵌着用切欠部１２７とを密着状に嵌着することができ、雑草の種子が側溝ブロック２と縁石ブロック３との隙間ｘに侵入することを防止し、種子の根が生長して歩道土壌Ｄ内に生長することを可及的に阻害することができる。
【００６６】
また、埋設した側溝ブロック１０２の車道Ｓ側の上端角部１３１も歩道Ｈ側と同様に略Ｌ字状に切欠して車道側切欠部である車道舗装連結用切欠部１３２を形成しており、該切欠部１３２の切欠底面外側縁部１３５に凸条部１３３を形成しており、車道舗装連結用切欠部１３２から車道Ｓにわたってアスファルトの車道舗装面Ｓ１を形成している。
【００６７】
なお、車道舗装連結用切欠部１３２の切欠内側面１３４は鉛直方向から若干だけ歩道Ｈ側に傾斜している。
【００６８】
また、土壌Ｄ中に埋設した側溝ブロック１０２の両端角部１２６，１３１は略Ｌ字状に切欠され、この切欠された縁石ブロック嵌着用切欠部１２７と車道舗装連結用切欠部１３２に、それぞれ縁石ブロック３の下底角部４と車道舗装面Ｓ１とが重複して配設されることになるため、側溝ブロック１０２は重複した分だけ歩道Ｈに近づけて位置することができ、その分車道Ｓ側を広くとることができる。
【００６９】
以上のように構成された他の実施形態に係る逆Ｕ字型あるいは門型の形状の側溝ブロック１０２であっても、縁石ブロック３と縁石ブロック嵌着用切欠部１２７に形成された凹凸条部６，１２０の嵌着による防草効果、及び車道舗装連結用切欠部１３２に形成された凸条部１３３の防草効果は、上述した略円筒状の側溝ブロック２の場合と同様である。
【００７０】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００７１】
Ｈ  歩道
Ｓ  車道
Ｓ１  車道舗装面
１  接合構築構造
２  側溝ブロック
３  縁石ブロック
４  下底角部
５  下底面
６  凹条部
７  側溝側の壁面
２０  凸条部
２６  上端角部
２７  縁石ブロック嵌着用切欠部
２８  切欠底面外側縁部
２９  切欠内側面
３０  傾斜面
３１  上端角部
３２  車道側切欠部
３３  凸条部
３５  切欠底面外側縁部
１０１  接合構築構造
１０２  側溝ブロック
１２０  凸条部
１２６  上端角部
１２７  縁石ブロック嵌着用切欠部
１２８  切欠底面外側縁部
１２９  切欠内側面
１３０  傾斜面
１３１  上端角部
１３２  車道側切欠部
１３３  凸条部
１３５  切欠底面外側縁部
【要約】
【課題】側溝ブロックに縁石ブロックを嵌着して連結する構造において側溝ブロックと縁石ブロックとの間の雑草の生長を阻止する側溝ブロックと縁石ブロックの接合構築構造を提供する。
【解決手段】本発明に係る側溝ブロックと縁石ブロックの構築構造は、側溝ブロックの歩道側の上端角部を略Ｌ字状切欠して縁石ブロック嵌着用切欠部を形成し、該切欠部に縁石ブロックの側溝側の下底角部を嵌着して前記側溝ブロックに前記縁石ブロックを連結した側溝ブロックと縁石ブロックの構築構造において、前記縁石ブロック嵌着用切欠部の外側縁部に凸条部を形成すると共に、前記縁石ブロックの前記下底角部を形成する下底面に凹条部を形成し、各前記凹凸条部が嵌着するように構成したことを特徴とする。
【選択図】図２【図１】
0005814444.tif 000002
【図２】
0005814444.tif 000003
【図３】
0005814444.tif 000004
【図４】
0005814444.tif 000005
【図５】
0005814444.tif 000006
【図６】
0005814444.tif 000007
【図７】
0005814444.tif 000008
【図８】
0005814444.tif 000009
【図９】
0005814444.tif 000010
【図１０】
0005814444.tif 000011